(57)【要約】      （修正有）【課題】シリコン制御整流装置による電流整流によって、ＬＥＤ灯列に安定した電圧を提供し且つ灯管を点灯させることができ、また、ＬＥＤ灯管を取り替える際に、全ての灯ベースを取り外すことなく、直接に灯管を取り替えることができ、使用上の便利性を向上させるシリコン制御調光電源内蔵のＬＥＤ灯管を提供する。【解決手段】両端がそれぞれ、挿し口及び挿し口と連通している収容空間を画定する笠１０と、一面に少なくとも一つの、収容空間に設置されているＬＥＤ灯列１２０が設置される放熱ベース１２と、収容空間に設置されているシリコン制御整流装置１８及びＬＥＤ灯列と電気的に接続している回路板１４と、笠の両端にある挿し口に設置されている二つの灯ヘッド部材１６と、を備える。【選択図】図１
0003213522.tif 000002
【実用新案登録請求の範囲】
【請求項１】
両端がそれぞれ、挿し口及び、前記挿し口と連通している収容空間を画定する笠と、
一面に少なくとも一つの、前記収容空間に設置されているＬＥＤ灯列が設置される放熱ベースと、
前記収容空間に設置されているシリコン制御整流装置及び前記ＬＥＤ灯列と電気的に接続している回路板と、
前記笠の両端にある前記挿し口に設置されている二つの灯ヘッド部材と、を備えてなることを特徴とするシリコン制御調光電源内蔵のＬＥＤ灯管。
【請求項２】
前記灯ヘッド部材は、前記挿し口に設置されるカバーと、前記カバーを貫き通し且つ前記回路板に電気的に接続している二つの電極とを含む、ことを特徴とする請求項１に記載のシリコン制御調光電源内蔵のＬＥＤ灯管。
【請求項３】
前記カバーを貫き通し且つ前記放熱ベースにロックし固定される少なくとも一つのロック固定部をさらに含む、ことを特徴とする請求項２に記載のシリコン制御調光電源内蔵のＬＥＤ灯管。
【考案の詳細な説明】
【技術分野】
【０００１】
本考案は、ＬＥＤ灯管に関し、特にシリコン制御調光電源内蔵のＬＥＤ灯管に関する。
【背景技術】
【０００２】
シリコン制御整流子は、三つのＰＮ接合を有する、４重構造をしている高効率の半導体素子であり、サイリスタとも呼ばれ、体積が小さく、構成が相対的に簡単で、機能が強い、などの利点を持っており、広く使われている半導体素子の一つである。この素子は、各種の電子設備及び電子製品に広く使われており、制御整流や逆変換や変頻や電圧調整や無接点スイッチなどに使用されることがある。
【０００３】
従来の、ＬＥＤ照明用灯管に用いられるシリコン制御整流子は、外接的に設置されるものである。シリコン制御整流子は、主に灯ベースに設置され、ＬＥＤ灯管に接続されるものである。シリコン制御整流子又はＬＥＤ灯管１を取り替える時に、ユーザが全ての灯ベースを取り外してから、ＬＥＤ灯管１を、もしくはシリコン制御整流子の設置された、全ての灯ベースを取り替える必要があるので、とても不便となる。なお、一つのシリコン制御整流子だけを取り替えるために、全ての灯ベースを取り替えることは、もったいなくなり、コストもかかるという問題がある。
【０００４】
よって、考案者にとって、上記の問題点を改善し、さらに産業上実施できることを増進するために、新たなＬＥＤ灯管を開発する必要がある。
【０００５】
従来のＬＥＤ灯管を開示する文献として下記の特許文献１がある。特許文献１に開示の照明器具は、主光源たる熱陰極放電灯２（または無電極放電灯３０）と、補助光源部３と、主点灯装置５と、副点灯装置６と、これらを支持する器具本体７とで構成される。補助光源部３は、補助光源たる発光ダイオード１７を備えた発光部１８と、発光ダイオード１７が発する熱を熱陰極放電灯２に伝導する放熱部１９とが一体となって構成される。主点灯装置は熱陰極放電灯２を点灯させ副点灯装置は発光ダイオード１７を点灯させる。つまり周囲の環境温度が低くても発光ダイオード１７を点灯させる程度の電力で光束の立ち上がりの遅延を改善しつつ、省エネルギ化を図ることができる。
【０００６】
しかしながら、特許文献１に開示の照明器具は、熱陰極放電灯２を取り替える時に、ユーザが全ての熱陰極放電灯２を取り外して全ての灯ベースを取り替える必要がある。
【先行技術文献】
【特許文献】
【０００７】
【特許文献１】特開２０１０−１４０８５８号公報
【考案の概要】
【考案が解決しようとする課題】
【０００８】
本考案は上記の問題点に鑑みてなされたものであり、その目的は、従来技術の欠点を改善するために、新規性、進歩性及び実用性などの要件を具する灯管を固定するためのチャック装置を提供するものである。
【課題を解決するための手段】
【０００９】
上記の目的を達するために、本考案に採用した技術的手段によれば、両端がそれぞれ、挿し口及び、前記挿し口と連通している収容空間を画定する笠と、一面に少なくとも一つの、前記収容空間に設置されているＬＥＤ灯列が設置される放熱ベースと、前記収容空間に設置されているシリコン制御整流装置及び前記ＬＥＤ灯列と電気的に接続している回路板と、前記笠の両端にある前記挿し口に設置されている二つの灯ヘッド部材と、を備えてなることを特徴とするシリコン制御調光電源内蔵のＬＥＤ灯管。
【００１０】
好ましくは、前記灯ヘッド部材は、前記挿し口に設置されるカバーと、前記カバーを貫き通し且つ前記回路板に電気的に接続している二つの電極とを含む、ことを特徴とする。
【００１１】
好ましくは、前記カバーを貫き通し且つ前記放熱ベースにロックし固定される少なくとも一つのロック固定部をさらに含む、ことを特徴とする。
【考案の効果】
【００１２】
本考案は、シリコン制御整流装置による電流整流によって、ＬＥＤ灯列に安定した電圧を提供し且つ灯管を点灯させることができる。また、ＬＥＤ灯管を取り替える際に、全ての灯ベースを取り外すことなく、直接に灯管を取り替えることができ、使用上の便利性を向上させるとともに、コスト削減を達成する。
【００１３】
上記の目的、技術的特徴、及び実施した後の利点をより明らかにするために、以下、本考案に係る好ましい実施形態について、図面を参照しながら詳細的に説明する。
【図面の簡単な説明】
【００１４】
【図１】本考案のＬＥＤ灯管の外観を示す斜視図である。
【図２】本考案のＬＥＤ灯管を示す分解斜視図である。
【図３】本考案のＬＥＤ灯管の構成を示す断面図である。
【考案を実施するための形態】
【００１５】
本考案のメリット、特徴および実施形態は、例示的な実施例および図面の参照により詳しく説明されて容易に理解できるが、本考案は異なる形態で實現されてもよく、かつここに記載されている実施例に限られると解釈されるべきではない。その一方で、本考案の属する技術分野における技術者にとって、提供される実施例により、本考案はよりはっきりと開示され、本考案のカテゴリは全面的にかつ完全に伝わる。また、本考案は添付した特許請求の範囲のみにより定義される。図面において、構成部分や構成要素などの寸法および相対寸法は、はっきりでわかりやすくなるように拡大表示される。全明細書において、同一の構成要素の符号は同一の組立品を指している。後ろの文に使用される用語「及び/又は」については、いずれの及び全ての或いは複数の係る対象の組合を意味する。
【００１６】
他の定義でなければ、後ろの文に使用されるすべての用語(科学・技術の術語を含む)は、本考案の属する技術分野における技術者の通常理解する意味と同一の意味を有している。また、例えば通常使用され辞書により定義されるそれらの用語が、関連分野における内容に一致する意味を有すると解釈されるべきであり、かつ後ろの文においてそれらの用語に他の定義がなければ、それらの用語は通常の意味により理解される。
【００１７】
以下、図面に合わせて例示的な実施例を詳しく述べるが、それらの実施例は異なる形式に含まれてもよく、かつ本考案の特許請求の範囲を限定すべきではない。それらの実施例により本考案が完全かつ明瞭に開示され、当該技術を熟知する者はそれらの実施例を介して本考案のカテゴリを理解することができる。
【００１８】
図１ないし図３を参照し、本考案のＬＥＤ灯管の外観を示す斜視図、本考案のＬＥＤ灯管を示す分解斜視図、及び本考案のＬＥＤ灯管の構成を示す断面図である。本考案は、シリコン制御調光電源内蔵のＬＥＤ灯管である。ＬＥＤ灯管１は、笠１０と、放熱ベース１２と、回路板１４と、灯ヘッド部材１６とを含む。笠１０は、両端がそれぞれ、挿し口１００及び、挿し口１００と連通している収容空間１０２を画定する。放熱ベース１２は、一面に少なくとも一つの、収容空間１０２に設置されているＬＥＤ灯列１２０が設置される。回路板１４は、収容空間１０２に設置されているシリコン制御整流装置１８及び各ＬＥＤ灯列１２０と電気的に接続している。各灯ヘッド部材１６は、笠１０の両端にある挿し口１００にそれぞれ設置されている。灯ヘッド部材１６は、挿し口１００に設置されるカバー１６０と、カバー１６０を貫き通し且つ回路板１４に電気的に接続している二つの電極１６２とを含んでなり、且つカバー１６０と放熱ベース１２の間に、カバー１６０を貫き通し放熱ベース１２にロックし固定される少なくとも一つのロック固定部１９がさらに設置されてなる。
【００１９】
図１ないし図３から見ると、シリコン制御整流装置１８は主に回路板１４に設置されるとともに、笠１０の収容空間１０２内に設置されることが分かる。ＬＥＤ灯管１が使用される際に、ＬＥＤ灯管１の両端にある電極１６２が灯ベースに挿し設置されることにより（図に示せず）、灯ベースからの電流が各電極１６２を通し回路板１４に伝送され、且つＬＥＤ灯列１２０がシリコン制御整流装置１８により制御される。シリコン制御整流装置１８が壊れると、或いはＬＥＤ灯管１を取り替える必要があると、全ての灯ベースを取り外すことなく、直接にＬＥＤ灯管１を新たなものに取り替えることだけで十分である。
【００２０】
以上、本考案者によってなされた考案を実施の形態に基づき具体的に説明したが、本考案は前記の実施の形態に限定されるものではなく、その要旨を逸脱しない範囲で種々変更が可能であることは言うまでもない。
【００２１】
上記結果から、本考案は、従来の技術を突破する上、増進しようとする効果に確実に達し、且つそれが具する進歩性及び実用性などの要件が、当業者に容易に想到されるものではない。
【符号の説明】
【００２２】
１                ＬＥＤ灯管
１０              笠
１００            挿し口
１０２            収容空間
１２              放熱ベース
１２０            ＬＥＤ灯列
１４              回路板
１６              灯ヘッド部材
１６０            カバー
１６２            電極
１８              シリコン制御整流装置
１９              ロック固定部
【図１】
0003213522.tif 000003
【図２】
0003213522.tif 000004
【図３】
0003213522.tif 000005